(57)【要約】【課題】取付け又は取り外し作業中のねじ軸の不用意な回転により、退避姿勢にある押え脚が突出姿勢に移行することを簡素な構成により防止し、埋め込み機器の取付け及び取り外し作業を良好な作業性の下で実施できる埋め込み機器の固定構造を提供する。【解決手段】被取付け部に設けた開口の周縁を、フランジ２及び押え脚４との間に挾持する固定構造において、ねじ軸３の回転操作により上方に移動する押え脚４を、押え脚４に設けた係合突起42が、ねじ軸３の上部を支持する支持部10に係合することにより、機器本体１の側面に近接した退避姿勢に拘束されるように構成する。【選択図】図３
2010265966.tif 000002
【特許請求の範囲】
【請求項１】
機器本体に周設されたフランジと、前記機器本体の側面に支持され、前記フランジと略直交する向きに延びるねじ軸と、該ねじ軸に基部を螺合させてあり、該ねじ軸の回転に応じて螺進移動して前記フランジに対して接離する押え脚とを備え、前記機器本体を被取付け部に設けた開口に埋め込み、該開口の周縁に前記フランジの一面を当て、該フランジの他面側から前記ねじ軸を回転操作することにより、前記フランジの一面と、該フランジに接近移動する前記押え脚の先端部との間に前記開口の周縁を挾持して、前記機器本体を前記取付け部に固定する埋め込み機器の固定構造において、
前記フランジから離反移動する前記押え脚の一部に係合し、該押え脚を、前記先端部が前記機器本体の側面に近接した退避姿勢に拘束する係合手段を備えることを特徴とする埋め込み機器の固定構造。
【請求項２】
前記係合手段は、前記押え脚の一部に突設され、前記ねじ軸の一端を支持する支持板に係合する係合突起を備える請求項１に記載の埋め込み機器の固定構造。
【請求項３】
前記係合手段の係合を外れて前記フランジに接近する向きに移動する前記押え脚に作用し、該押え脚を前記ねじ軸を中心として回動させて、前記先端部が前記機器本体の側面から離反して突出する突出姿勢に立ち上げる案内手段を備える請求項１又は請求項２に記載の埋め込み機器の固定構造。
【請求項４】
前記案内手段は、前記ねじ軸の一側に沿って前記機器本体の側面に立設してあり、前記フランジに向けて接近移動する前記押え脚の一部に当接するテーパ部を有するガイド板である請求項３に記載の埋め込み機器の固定構造。
【請求項５】
前記ガイド板は、突出姿勢となって移動する前記押え脚の一側に摺接し、該押え脚を、前記退避姿勢への移行を規制しつつ移動案内するガイド部を備える請求項４に記載の埋め込み機器の固定構造。
【請求項６】
被固定部に設けた開口に埋め込み可能な機器本体と、該機器本体に周設されたフランジと、請求項１から請求項５のいずれか１つに記載の固定構造を備えることを特徴とする電気機器。
【発明の詳細な説明】
【技術分野】
【０００１】
本発明は、天井、壁、床等の被固定部に設けた開口に埋め込み機器を固定するための固定構造、並びに、この固定構造により埋め込み固定して用いられる電気機器に関する。
【背景技術】
【０００２】
空調機器、撮像機器、スピーカ機器、照明機器等の電気機器の一部は、室内の占有空間を減じ、また設置状態での見栄えを向上するために、天井面、壁面、床面等に埋め込み固定して使用されている。この種の埋め込み機器の多くは、機器本体に周設されたフランジを有しており、被固定部に設けられた開口に機器本体を埋め込み、前記フランジにより前記開口の周縁を覆うように固定して用いられる。
【０００３】
埋め込み機器の固定は、前記フランジの複数箇所に設けた通孔に固定ねじを通し、該固定ねじを前記開口の周縁部に設けたねじ孔に締め付けることにより簡易に実現される。ところが、前述した空調機器、スピーカ機器等の電気機器の多くは、機器本体の点検、部品交換等のために着脱を可能として固定することが要求されており、固定ねじによる前述した固定構造を採用した場合、着脱に手間を要するという難点がある上、固定ねじ又はねじ孔が着脱の繰り返しによって損傷し、確実な固定状態が得られなくなる虞れがある。
【０００４】
この問題を解消すべく特許文献１には、スピーカ機器を対象とした埋め込み機器の固定構造が提案されている。この固定構造は、機器本体に周設されたフランジの複数箇所に設けたねじ軸（タッピンンネジ）と、夫々のねじ軸に基部を螺合させた押え脚（取付け脚）とを備えている。ねじ軸は、夫々の位置で前記フランジに回転自在に支持され、該フランジの背面（被固定部を覆う側の面）と直交する方向に延設されている。押え脚は、ねじ軸に螺合する基部を一端に有するＬ字型の棒体であり、前記フランジの背面に先端を向けて取付けてある。
【０００５】
ねじ軸は、フランジの正面側に露出する操作端を有しており、前記フランジが被固定部の開口を覆った状態においても、該フランジの外側から操作可能としてある。押え脚の基部は、機器本体に設けた凹所内でねじ軸に螺合しており、該押え脚は、ねじ軸の回転に応じて螺進し、フランジに対して接近又は離反移動する。ねじ軸の先端部には、ナットが螺合固定されており、フランジから離反する向きに移動して先端部に達した押え脚は、前記ナットに当接してねじ軸と一体回転し、前記凹所の内部に収まって機器本体の側面に沿って延びる退避姿勢となるように構成してある。
【０００６】
以上の固定構造を備えるスピーカ機器は、天井面、壁面等の被固定部に設けた開口に機器本体を押し込み、該開口の周縁にフランジの背面を押し当てて支え、該フランジの外側からねじ軸を回転操作する手順により取付けられる。機器本体の押し込みは、押え脚を前記退避姿勢に保った状態で実施し、その後のねじ軸の回転操作は、押え脚を、ねじ軸の先端部から離れる向き、即ち、フランジに接近する向きに螺進移動させるように実施する。この操作により押え脚は、ねじ軸と一体回転して前記凹所から先端部を突出させた突出姿勢に移行し、更なるねじ軸の回転に応じて先端部から離れ、フランジに接近する向きに移動する。このように移動する押え脚の先端部は、フランジが押し当てられた前記開口の周縁に内側から当接し、該周縁を前記フランジとの間に挾持することとなり、スピーカ機器は、フランジの周方向複数箇所でなされる開口周縁の挾持により固定される。
【０００７】
以上のように固定されたスピーカ機器を取り外す場合、前記ねじ軸を固定時と逆向きに回転操作する。この操作により押え脚は、フランジから離反する向きに移動して前記開口の周縁の挾持を解除し、更に、ねじ軸の先端部に達して該ねじ軸と一体回転し、前記凹所内に収まる退避姿勢に移行するから、スピーカ機器は、押え脚の存在に煩わされず被固定部の開口から機器本体を引き出して取り外すことができる。
【先行技術文献】
【特許文献】
【０００８】
【特許文献１】特開２００７−９７００３号公報
【発明の概要】
【発明が解決しようとする課題】
【０００９】
しかしながら特許文献１に記載の従来の固定構造においては、前述した取付け作業の途中で不用意に加わる外力の作用によりねじ軸が回転し、該ねじ軸と一体回転する押え脚が突出姿勢に移行して、被固定部に設けた開口への機器本体の押し込みに支障を来す虞れがある。この場合作業者は、回転したねじ軸を元に戻す操作を強いられ、取付け作業の作業性が悪くなるという問題がある。
【００１０】
取付け作業中のねじ軸の不用意な回転は、取付け作業の開始前にフランジの正面に露出するねじ軸の操作端を、例えば、粘着テープを用いて仮止めすることで防止し得るが、この場合、被固定部の開口に機器本体を押し込んだ後、該機器本体を固定するためにねじ軸を回転操作する際に、該ねじ軸の仮止めを解除する余分な作業が必要となり、作業性の向上効果は得られない。
【００１１】
また従来の固定構造においては、固定状態を得るべくねじ軸を回転操作する間、該ねじ軸に沿って押え脚が螺進移動する際の突出姿勢を安定して保つことができず、該押え脚と前記フランジとの間での開口周縁の挾持が良好になされず、所望の固定強度が得られない虞れがある。
【００１２】
本発明は斯かる事情に鑑みてなされたものであり、取付け又は取り外し作業中のねじ軸の不用意な回転により、退避姿勢にある押え脚が突出姿勢に移行することを簡素な構成により防止し、埋め込み機器の取付け及び取り外し作業を良好な作業性の下で実施することができる埋め込み機器の固定構造及びこれを適用した電気機器を提供することを目的とする。
【００１３】
また、固定のためのねじ軸の回転操作に応じて螺進移動する押え脚を所望の突出姿勢に保つべくガイドし、該押え脚とフランジとの間での開口周縁の挾持を確実に行わせて、所望の固定強度を実現し得る埋め込み機器の固定構造及びこれを適用した電気機器を提供することを目的とする。
【課題を解決するための手段】
【００１４】
本発明に係る埋め込み機器の固定構造は、機器本体に周設されたフランジと、前記機器本体の側面に支持され、前記フランジと略直交する向きに延びるねじ軸と、該ねじ軸に基部を螺合させてあり、該ねじ軸の回転に応じて螺進移動して前記フランジに対して接離する押え脚とを備え、前記機器本体を被取付け部に設けた開口に埋め込み、該開口の周縁に前記フランジの一面を当て、該フランジの他面側から前記ねじ軸を回転操作することにより、前記フランジの一面と、該フランジに接近移動する前記押え脚の先端部との間に前記開口の周縁を挾持して、前記機器本体を前記取付け部に固定する埋め込み機器の固定構造において、前記フランジから離反移動する前記押え脚の一部に係合し、該押え脚を、前記先端部が前記機器本体の側面に近接した退避姿勢に拘束する係合手段を備えることを特徴とする。
【００１５】
本発明においては、フランジから離反移動する押え脚に係合する係合手段を備え、該係合手段が、フランジから所定長離れた位置に移動した押え脚を退避姿勢に拘束して、ねじ軸の不用意な回転により押え脚が突出姿勢に移行することを防止する。
【００１６】
また本発明に係る埋め込み機器の固定構造は、前記係合手段が、前記押え脚の一部に突設され、前記ねじ軸の一端を支持する支持板に係合する係合突起を備えることを特徴とする。
【００１７】
本発明においては、押え脚の一部に突設された係合突起が、ねじ軸を支持するために設けた支持板の一部に係合することで、押え脚を退避姿勢に拘束する係合手段を簡素な構成により実現する。
【００１８】
また本発明に係る埋め込み機器の固定構造は、前記係合手段の係合を外れて前記フランジに接近する向きに移動する前記押え脚に作用し、該押え脚を前記ねじ軸を中心として回動させて、前記先端部が前記機器本体の側面から離反して突出する突出姿勢に立ち上げる案内手段を備えることを特徴とする。
【００１９】
本発明においては、フランジに接近する向きに移動する押え脚に案内手段が作用し、該押え脚を突出姿勢に確実に移行させる。
【００２０】
また本発明に係る埋め込み機器の固定構造は、前記案内手段が、前記ねじ軸の一側に沿って前記機器本体の側面に立設してあり、前記フランジに向けて接近移動する前記押え脚の一部に当接するテーパ部を有するガイド板であることを特徴とする。
【００２１】
本発明においては、ねじ軸の一側に沿わせたガイド板にテーパ部を設け、該テーパ部がフランジに向けて接近移動する押え脚に当接することで、該押え脚を移動に応じて立ち上げて突出姿勢に確実に移行させる。
【００２２】
また本発明に係る埋め込み機器の固定構造は、前記ガイド板が、突出姿勢となって移動する前記押え脚の一側に摺接し、該押え脚を、前記退避姿勢への移行を規制しつつ移動案内するガイド部を備えることを特徴とする。
【００２３】
本発明においては、ガイド板に設けたガイド部が、フランジに接近移動する押え脚を、突出姿勢を安定して保ちつつ移動案内し、フランジとの間での開口周縁の挾持を、一定の姿勢で確実に行わせ、所望の固定強度を実現する。
【００２４】
また本発明に係る電気機器は、被固定部に設けた開口に埋め込み可能な機器本体と、該機器本体に周設されたフランジと、前述したいずれかの固定構造とを備えることを特徴とする。
【００２５】
本発明においては、確実な取付け及び取り外しを良好な作業性の下で実施し得る本発明の固定構造を、空調機器、照明機器等の埋め込み型の電気機器に採用し、点検、部品交換等のメインテナンス作業を容易に行わせる。
【発明の効果】
【００２６】
本発明に係る埋め込み機器の固定構造においては、埋め込み機器の取付け又は取り外しの過程において、外力の作用による押え脚の不用意な回転を防止することができ、埋め込み機器を良好な作業性の下で被固定部に確実に固定することが可能となる。
【００２７】
また本発明に係る電気機器においては、被固定部に対する取付け及び取り外しを、良好な作業性の下で確実に実施することができるから、点検、部品交換等のメインテナンス作業を高能率にて実施することができる。
【図面の簡単な説明】
【００２８】
【図１】本発明に係る固定構造を備える埋め込み機器の側面図である。
【図２】図１のII−II線による平面図である。
【図３】ねじ軸の支持部の周辺を示す図１の要部拡大図である。
【図４】図３のIV−IV線による矢視図である。
【図５】押え脚の外観斜視図である。
【図６】押え脚の退避姿勢の説明図である。
【発明を実施するための形態】
【００２９】
以下本発明をその実施の形態を示す図面に基づいて詳述する。図１は、本発明に係る固定構造を備える埋め込み機器の側面図、図２は、図１のII−II線による平面図である。本発明に係る固定構造は、図中に矩形のブロックとして略示した埋め込み機器の機器本体１を埋め込み固定するために構成されたものであり、フランジ２、ねじ軸３及び押え脚４を備えている。
【００３０】
図示の埋め込み機器は、例えば、居室の天井に埋め込み固定して使用すべく構成された空調機器である。図１は、固定状態での上下関係を保って示してあり、以下の説明においては、図１の上下を使用する。
【００３１】
本図及び図２に示すようにフランジ２は、機器本体１の下側端部の四方に、外向きに適長張り出す態様に周設してある。機器本体１は、図１中に２点鎖線により示すように、被取付け部となる天井板７に開設された開口70に下方から押し込み、該開口70の周縁にフランジ２を外側から当てた状態で後述のように埋め込み固定される。
【００３２】
ねじ軸３は、フランジ２の該当位置に下部を支持し、機器本体１の周上に複数（図においては４つ）配してある。ねじ軸３の上部は、フランジ２と略直交する向きに上方に延び、夫々の位置で機器本体１の外面に取付けた支持ブラケット10に支持されている。
【００３３】
図３は、ねじ軸３の支持部の周辺を示す図１の要部拡大図、図４は、図３のIV−IV線による矢視図である。図示のようにねじ軸３の下部は、フランジ２の該当位置に設けた軸受部20により、軸回りでの回転自在に支持されている。ねじ軸３は、軸受部20の下位置に突出しており、この突出端には操作部30が設けてある。またねじ軸３の上端は、支持ブラケット10の上方に突出しており、この突出端には、抜け止めのための袋ナット31が螺合固定してある。ねじ軸３の外周には、軸受部20と支持ブラケット10との間の略全長に亘って雄ねじ部32が設けてあり、この雄ねじ部32に押え脚４が取付けてある。
【００３４】
図５は、押え脚４の外観斜視図である。図示のように押え脚４は、矩形平板形の部材であり、長手方向一側端部（基端部）の近傍に厚さ方向に貫通する支持筒40を備えている。支持筒40の内周には雌ねじ部41が設けてあり、押え脚４は、支持筒40内周の雌ねじ部41をねじ軸３外周の雄ねじ部32に螺合することにより、ねじ軸３の中途に取付けられている。
【００３５】
このように取付けられた押え脚４は、ねじ軸３の回転に応じて、該ねじ軸３に螺合する支持筒40が設けられた基部を中心として回動する一方、この回動を拘束された状態においては、ねじ軸３の回転に応じて、該ねじ軸３の軸長方向に螺進し、上下両側に移動することができる。
【００３６】
押え脚４の基端には、一側の半部に、表面（ねじ軸３への取付け時に上向きとなる面）側に略直角に立ち上がる係合突起42が設けてあり、また他側の半部に、支持筒40を中心とする円弧形の面取り部43が設けてある。更に押え脚４は、幅方向の両側縁を前記係合突起42と同向きに立ち上げてなる補強リブ44，44を備えている。
【００３７】
以上のように押え脚４を取り付けたねじ軸３の一側には、該ねじ軸３と平行をなしてガイド板５が設けてある。ガイド板５は、機器本体１の側面に垂直に立ち上がるように固定され、ねじ軸２の下部を支えるフランジ２の近傍から、ねじ軸３の上部を支持する支持ブラケット10の下方に適長離れた位置にまで延在している。
【００３８】
ガイド板５の固定位置は、ねじ軸３の一側に押え脚４の半幅分だけ離れて位置するように設定してある。このように位置するガイド板５は、図３に示すように、ねじ軸３に取付けた押え脚４の幅方向一側の側縁に当接し、該押え脚４の回転を拘束して、ねじ軸３の回転に応じた上下方向の移動を案内するガイド作用をなす。押え脚４の側縁に設けられた補強リブ44は、ガイド板５との接触面積を増し、押え脚４の移動案内を確実にする作用をなす。
【００３９】
このような押え脚４の上下移動は、図４に示すように、該押え脚４の先端が機器本体１の側面から突出する突出姿勢を保ってなされる。このとき、押え脚４の基端に前述の如く立設された係合突起42は、機器本体１の側面に図４に示すように当接し、該押え脚４の回転を拘束する作用をなす。係合突起42が拘束する押え脚４の回転の方向は、ガイド板５への当接により拘束される回転の方向と逆方向であり、ねじ軸３の回転に応じた押え脚４の上下動は、両方向の回転拘束により、機器本体１の側面から略直角をなして立ち上がる突出姿勢を保ってなされる。図２には、下側に位置する２つの押え脚４，４を突出姿勢として示してある。
【００４０】
ガイド板５による押え脚４の移動案内は、ガイド板５の延在範囲内にてなされる。下方に移動する押え脚４は、機器本体１の下部周縁に設けたフランジ２に接近し、図４に示すように、フランジ２の上面との間に天井板７に設けた開口70の周縁を挾持する。この挾持は、前述した突出姿勢を正しく保ち、十分な強度を有して実現される。従って、前述のように天井板７の開口70に押し込まれた機器本体１は、フランジ２の周方向の複数箇所での挾持により、開口70の内部に埋め込まれた状態で確実に固定される。
【００４１】
押え脚４は、ねじ軸３の回転に応じて移動し、該ねじ軸３は、下端に設けた操作部30の操作により、フランジ２の外側から回転操作することができる。従って作業者は、天井板７の開口70に機器本体１を押し込み、該開口70の周縁にフランジ２の上面を当接させ、この状態でフランジ２の下部外側に突出する操作部30を操作する手順により、埋め込み機器を取り付けることができる。
【００４２】
このように取付けられた埋め込み機器を取り外す場合、作業者は、操作部30の操作によりねじ軸30を逆向きに回転させ、押え脚４を上方向に移動させる。上方向に移動する押え脚４は、フランジ２から離れ、該フランジ２との間での開口70周縁の挾持を解除する。押え脚４の移動は、前述したように、ガイド板５の延在範囲内にて生じるが、ガイド板５の上端は、ねじ軸３の上部を支持する支持ブラケット10の下方に適長離れて位置しているため、上方向に移動してガイド板５の上端に達した押え脚４は、ガイド板５による拘束が解除される結果、ねじ軸３の回転に応じてガイド板５の側に回転する。
【００４３】
このような押え脚４の回転は、基端の半部に設けた面取り部43の範囲内で生じ、押え脚４は、略90°回転して機器本体１の側壁に側縁を沿わせた退避姿勢となる。図２には、上側に位置する２つの押え脚４，４を退避姿勢として示してある。
【００４４】
図６は、押え脚４の退避姿勢の説明図であり、退避姿勢にある押え脚４を支持ブラケット10の上方から見た拡大平面図としてスラスト軸受である。本図に示すように退避姿勢となった押え脚４は、機器本体１の側面との当接により回転を拘束された状態となり、この拘束下にてねじ軸３が更に回転操作された場合、該ねじ軸３の回転に応じて上方向の移動を再開し支持ブラケット10に接近する。このとき、押え脚４の基端に設けた係合突起42は、平面視において支持ブラケット10の先端側の一方の側縁に沿って位置し、押え脚４が支持ブラケット10に接近するに従って、前記側縁の先端側半部に近接した位置にて支持ブラケット10の上部に突出する。
【００４５】
図６に示すように、支持ブラケット10の前記側縁には、凸部11が突設してあり、支持ブラケット10の上部に突出する係合突起42は、支持ブラケット10の先端側から前記凸部11に対面するように係合した状態となる。この状態において押え脚４は、機器本体１の側面への当接により、図６における時計回りの回転を拘束されると共に、係合突起42と凸部11との係合により、図６における反時計回りの回転を拘束される。
【００４６】
埋め込み機器の取り外しは、この状態で機器本体11を前記開口70から抜き出すことにより実施される。本発明の固定構造においては、このように実施される抜き出しの過程で不用意な外力が加わり、ねじ軸３が逆方向に回転した場合においても、押え脚４は、係合突起42が支持ブラケット10の下方に抜け出すまでは、退避姿勢を保ったまた下方向に移動するのみであり、突出姿勢に移行することはないから、埋め込み機器の取り外しは、押え脚４の存在に煩わされることなく容易に実施することができる。
【００４７】
埋め込み機器の取付けも同様に、押え脚４を最上位置にまで移動させ、前述した退避姿勢に保った状態で前述したように行われる。この取付けの間押え脚４は、ねじ軸３の不用意な回転力が加わった場合にも退避姿勢を維持し、突出姿勢に移行することがないから、前記開口70への機器本体１の押し込みを押え脚４の存在に煩わされずに容易に実施することができる。
【００４８】
押え脚４は、機器本体11の押し込みを完了した後、ねじ軸３が連続的に回転操作されることにより下方向に移動する。移動する押え脚４は、前記係合突起42が支持ブラケット10の下方に抜け出し、凸部11との係合が解除された後に回転して突出姿勢に移行する。この移行は、係合突起42と凸部11との係合による拘束が解除されることで生じる。
【００４９】
図４に示すように、ねじ軸３の一側に設けたガイド板５の上縁には、下方に至るに従って機器本体１から離れるように傾斜するテーパ部50が設けてある。このテーパ部50は、退避姿勢を保って下方向に移動する押え脚４に当接し、該押え脚４を傾斜に沿って案内することにより突出姿勢への移行を補助する作用をなす。従って、押え脚４は、ねじ軸３の回転操作により下方向に移動する間に突出姿勢に確実に移行し、前述の如く、フランジ２との間に前記開口70を挾持することができる。
【００５０】
図２に示すように、フランジ２には、夫々の押え脚４，４…の近傍位置を表裏に貫通するように窓孔21，21…が開設してある。作業者は、これらの窓孔21，21…を経て各押え脚４，４…の動作を確認しつつ取付け及び取り外しを実施することができる。
【００５１】
なお以上の実施の形態においては、天井面に埋め込み設置する空調機器への適用について述べたが、本発明は、撮像機器、スピーカ機器、照明機器等、埋め込み設置を前提として構成された埋め込み型電気機器の全般、更には、電気機器以外の埋め込み機器に広く適用することができ、また埋め込み箇所も、天井面に限らず、壁面、床面であってもよいことはいうまでもない。
【符号の説明】
【００５２】
１    機器本体
２    フランジ
３    ねじ軸
４    押え脚
５    ガイド板
７    天井板（被取付け部）
10    支持ブラケット（支持板）
42    係合突起
50    テーパ部
70    開口
【図１】
2010265966.tif 000003
【図２】
2010265966.tif 000004
【図３】
2010265966.tif 000005
【図４】
2010265966.tif 000006
【図５】
2010265966.tif 000007
【図６】
2010265966.tif 000008